(57)【要約】【課題】潜像保持体の周方向における潜像保持体と電極部材との間隔のばらつきを低減することができる帯電装置及び画像形成装置を得る。【解決手段】帯電ユニット１００は、チャージワイヤ１０２Ａ、１０２Ｂと、グリッド電極１０４と、感光体６２の外周面に沿った湾曲面１１２Ｄを有する取付部材１１２と、長手方向の外向きに作用する第１分力Ｆｄ、及び短手方向の外向きに作用する第２分力Ｆｓを含む張力をグリッド電極１０４の取付部１０４Ａ、１０４Ｃに付与して湾曲面１１２Ｄと接触させる引張ばね１２８Ａ、１２８Ｂ、１２８Ｃ、１２８Ｄと、を有している。ここで、グリッド電極１０４は、第１分力Ｆｄによって張架されると共に第２分力Ｆｓと湾曲面１１２Ｄからの反力との釣り合いで感光体６２の外周面との間隔が許容範囲内となるので、感光体６２とグリッド電極１０４との間隔のばらつきを低減することができる。【選択図】図４
2012185309.tif 000002
【特許請求の範囲】
【請求項１】
円筒状の潜像保持体の外周面を帯電する帯電手段と、
無負荷状態で前記潜像保持体の軸方向を長手方向とする板状であり、前記帯電手段と前記潜像保持体との間に配置され、電圧が印加される電極部材と、
前記長手方向から見て前記電極部材と前記帯電手段との間に配置され且つ前記潜像保持体の外周面に沿った湾曲面を有する湾曲部材と、
前記電極部材が前記湾曲面に接触した状態で、前記長手方向の外向きの第１分力、及び前記長手方向と交差する短手方向の外向きの第２分力を作用させるように前記電極部材の前記長手方向の両端部に張力を付与する張力付与手段と、
を有する帯電装置。
【請求項２】
前記張力付与手段は、前記電極部材の前記長手方向及び前記短手方向と交差する厚み方向で且つ前記潜像保持体の外周面から離れる向きの第３分力を作用させるように前記電極部材に張力を付与する請求項１に記載の帯電装置。
【請求項３】
前記電極部材と前記潜像保持体との間に配置され、前記電極部材を前記潜像保持体側から前記湾曲面に向けて付勢する付勢部材が設けられている請求項１又は請求項２に記載の帯電装置。
【請求項４】
前記付勢部材は、前記湾曲面の曲率半径よりも小さい曲率半径で且つ前記電極部材と接触する板ばねである請求項３に記載の帯電装置。
【請求項５】
請求項１から請求項４のいずれか１項に記載の帯電装置と、
前記帯電装置で帯電され光照射により形成された潜像を保持する潜像保持体と、
前記潜像を現像剤で現像して現像剤像を形成する現像手段と、
前記現像剤像を記録媒体に転写させる転写手段と、
を有する画像形成装置。
【発明の詳細な説明】
【技術分野】
【０００１】
本発明は、帯電装置及び画像形成装置に関する。
【背景技術】
【０００２】
特許文献１の画像形成装置は、チャージワイヤ及びグリッド電極を有するスコロトロン帯電装置を有している。グリッド電極は、長手方向の両端に引掛部が形成されており、この引掛部を外側へ向けて引っ張ることで長手方向に張力が付与され、感光体の外周面に向けて湾曲した形状で保持されている。
【先行技術文献】
【特許文献】
【０００３】
【特許文献１】特開２００８−２６２１１４号
【発明の概要】
【発明が解決しようとする課題】
【０００４】
本発明は、潜像保持体の周方向における潜像保持体と電極部材との間隔のばらつきを低減することができる帯電装置及び画像形成装置を得ることを目的とする。
【課題を解決するための手段】
【０００５】
本発明の請求項１に係る帯電装置は、円筒状の潜像保持体の外周面を帯電する帯電手段と、無負荷状態で前記潜像保持体の軸方向を長手方向とする板状であり、前記帯電手段と前記潜像保持体との間に配置され、電圧が印加される電極部材と、前記長手方向から見て前記電極部材と前記帯電手段との間に配置され且つ前記潜像保持体の外周面に沿った湾曲面を有する湾曲部材と、前記電極部材が前記湾曲面に接触した状態で、前記長手方向の外向きの第１分力、及び前記長手方向と交差する短手方向の外向きの第２分力を作用させるように前記電極部材の前記長手方向の両端部に張力を付与する張力付与手段と、を有する。
【０００６】
本発明の請求項２に係る帯電装置は、前記張力付与手段は、前記電極部材の前記長手方向及び前記短手方向と交差する厚み方向で且つ前記潜像保持体の外周面から離れる向きの第３分力を作用させるように前記電極部材に張力を付与する。
【０００７】
本発明の請求項３に係る帯電装置は、前記電極部材と前記潜像保持体との間に配置され、前記電極部材を前記潜像保持体側から前記湾曲面に向けて付勢する付勢部材が設けられている。
【０００８】
本発明の請求項４に係る帯電装置は、前記付勢部材は、前記湾曲面の曲率半径よりも小さい曲率半径で且つ前記電極部材と接触する板ばねである。
【０００９】
本発明の請求項５に係る画像形成装置は、請求項１から請求項４のいずれか１項に記載の帯電装置と、前記帯電装置で帯電され光照射により形成された潜像を保持する潜像保持体と、前記潜像を現像剤で現像して現像剤像を形成する現像手段と、前記現像剤像を記録媒体に転写させる転写手段と、を有する。
【発明の効果】
【００１０】
請求項１の発明は、電極部材を長手方向に真っ直ぐ引っ張る構成に比べて、潜像保持体の周方向における潜像保持体と電極部材との間隔のばらつきを低減することができる。
【００１１】
請求項２の発明は、電極部材の厚み方向における潜像保持体に近づく向きに張力を付与する構成に比べて、潜像保持体の周方向における潜像保持体と電極部材との間隔のばらつきを低減することができる。
【００１２】
請求項３の発明は、電極部材を湾曲部材に向けて付勢しない構成に比べて、潜像保持体の周方向における潜像保持体と電極部材との間隔のばらつきを低減することができる。
【００１３】
請求項４の発明は、湾曲面の曲率半径よりも大きい曲率半径の接触面を有する構成に比べて、電極部材を湾曲面に沿わせた形状にすることができる。
【００１４】
請求項５の発明は、請求項１から請求項４のいずれか１項に記載の帯電装置が無い構成に比べて、画像の濃度むらを抑制することができる。
【図面の簡単な説明】
【００１５】
【図１】本発明の実施形態に係る画像形成装置の全体図である。
【図２】本発明の実施形態に係る画像形成ユニットの構成図である。
【図３】本発明の実施形態に係る感光体周りの構成を示す説明図である。
【図４】（Ａ）、（Ｂ）本発明の実施形態に係る帯電ユニットの平面図及び側面図である。
【図５】（Ａ）本発明の実施形態に係る帯電ユニットの端部の長手方向に沿った断面図である。（Ｂ）本発明の実施形態に係る帯電ユニットの端部の短手方向に沿った断面図である。
【図６】（Ａ）本発明の実施形態に係るグリッド電極の端部の取付け状態を示す平面図である。（Ｂ）本発明の実施形態に係るグリッド電極に作用する張力の分力を示す模式図である。
【図７】（Ａ）、（Ｂ）本発明の実施形態に係るグリッド電極の端部に作用する力を示す平面図及び断面図である。
【図８】（Ａ）、（Ｂ）比較例に係るグリッド電極の端部に作用する力を示す平面図及び断面図である。
【発明を実施するための形態】
【００１６】
本発明の実施形態に係る帯電装置及び画像形成装置の一例について説明する。
【００１７】
図１には、実施形態の一例としての画像形成装置１０が示されている。画像形成装置１０は、上下方向（矢印Ｖ方向）の下側から上側へ向けて、記録媒体の一例としての記録用紙Ｐが収容される用紙収容部１２と、用紙収容部１２の上に設けられ用紙収容部１２から供給される記録用紙Ｐに画像形成を行う画像形成部１４と、画像形成部１４の上に設けられ読取原稿Ｇを読み取る原稿読取部１６と、画像形成部１４内に設けられ画像形成装置１０の各部の動作を制御する制御部２０と、を含んで構成されている。なお、以後の説明では、画像形成装置１０の装置本体１０Ａの上下方向を矢印Ｖ方向、左右（水平）方向を矢印Ｈ方向、奥行き（水平）方向を矢印Ｄ方向と記載する。
【００１８】
用紙収容部１２は、サイズの異なる記録用紙Ｐが収容される第１収容部２２、第２収容部２４、及び第３収容部２６が設けられている。第１収容部２２、第２収容部２４、及び第３収容部２６には、収容された記録用紙Ｐを画像形成装置１０内に設けられた搬送路２８に送り出す送り出しロール３２が設けられており、搬送路２８における送り出しロール３２よりも下流側には、記録用紙Ｐを一枚ずつ搬送するそれぞれ一対の搬送ロール３４及び搬送ロール３６が設けられている。また、搬送路２８における記録用紙Ｐの搬送方向で搬送ロール３６よりも下流側には、記録用紙Ｐを一端停止させるとともに、決められたタイミングで後述する二次転写位置へ送り出す位置合せロール３８が設けられている。
【００１９】
搬送路２８の上流側部分は、画像形成装置１０の正面視において、矢印Ｖ方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００２０】
両面搬送路２９は、画像形成装置１０の正面視において、搬送路２８と両面搬送路２９の切り替えが行われる第１切替部材３１と、画像形成部１４の右側下部から用紙収容部１２の右側まで矢印−Ｖ方向（図示の下方向）に直線状に設けられた反転部３３と、反転部３３に搬送された記録用紙Ｐの後端が進入するとともに矢印Ｈ方向（図示の左方向）に搬送される搬送部３７と、反転部３３と搬送部３７の切り替えが行われる第２切替部材３５と、を有している。そして、反転部３３には一対の搬送ロール４２が間隔をあけて複数箇所に設けられており、搬送部３７には一対の搬送ロール４４が間隔をあけて複数箇所に設けられている。
【００２１】
第１切替部材３１は三角柱状の部材であり、図示しない駆動手段によって先端部が搬送路２８又は両面搬送路２９のいずれか一方に移動されることで、記録用紙Ｐの搬送方向を切り替えるようになっている。同様に、第２切替部材３５は正面視で三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に案内部材（図示省略）により接続されている。また、画像形成部１４の左側面には、折り畳み式の手差給紙部４６が設けられており、手差給紙部４６から搬送路２８の位置合せロール３８の手前までが接続されている。
【００２２】
原稿読取部１６は、読取原稿Ｇを１枚ずつ自動で搬送する原稿搬送装置５２と、原稿搬送装置５２の下側に配置され１枚の読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。
【００２３】
原稿搬送装置５２は、一対の搬送ロール５３が複数配置された自動搬送路５５を有しており、自動搬送路５５の一部は、読取原稿Ｇがプラテンガラス５４上を通るように配置されている。また、原稿読取装置５６は、プラテンガラス５４の左端部に静止した状態で原稿搬送装置５２によって搬送された読取原稿Ｇを読み取り、又は矢印Ｈ方向に移動しながらプラテンガラス５４に載せられた読取原稿Ｇを読み取るようになっている。
【００２４】
一方、画像形成部１４は、装置本体１０Ａの中央に潜像保持体の一例としての円筒状の感光体６２が設けられている。感光体６２は、図示しない駆動手段によって矢印＋Ｒ方向（図示の時計回り方向）に回転すると共に、光照射によって形成される静電潜像を保持するようになっている。また、感光体６２の上方で且つ感光体６２の外周面と対向する位置には、感光体６２の表面を帯電する帯電装置の一例としてのスコロトロン方式の帯電ユニット１００が設けられている。なお、帯電ユニット１００の詳細については後述する。
【００２５】
図２に示すように、帯電ユニット１００は、画像形成部１４（図１参照）内に設けられた装着部１１０に装着され、感光体６２の外周面と対向して保持されている。また、感光体６２の回転方向における帯電ユニット１００よりも下流側で且つ感光体６２の外周面と対向する位置には、露光装置６６が設けられている。露光装置６６は、ＬＥＤ（Ｌｉｇｈｔ  Ｅｍｉｔｔｉｎｇ  Ｄｉｏｄｅ）で構成されており、帯電ユニット１００により帯電した感光体６２の外周面に、各トナー色に対応した画像信号に基づき光を照射（露光）して、静電潜像を形成するようになっている。なお、露光装置６６はＬＥＤ方式に限らず、例えば、レーザ光をポリゴンミラーで走査するものであってもよい。
【００２６】
感光体６２の回転方向で露光装置６６の露光光が照射される部位よりも下流側には、感光体６２の外周面に形成された静電潜像を決められた色のトナーで現像して可視化させる（現像剤像を形成する）現像手段の一例としての回転切り替え式の現像装置７０が設けられている。
【００２７】
現像装置７０は、イエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、周方向に（反時計回り方向にこの順番で）並んで配置されており、回転手段であるモータ（図示省略）によって中心角で６０°ずつ回転することで、現像処理を行う現像器７２Ｙ、７２Ｍ、７２Ｃ、７２Ｋ、７２Ｅ、７２Ｆが切り替えられ、感光体６２の外周面と対向するようになっている。なお、現像器７２Ｙ、７２Ｍ、７２Ｃ、７２Ｋ、７２Ｅ、７２Ｆは同様の構成となっているため、ここでは現像器７２Ｙについて説明し、他の現像器７２Ｍ、７２Ｃ、７２Ｋ、７２Ｅ、７２Ｆについては説明を省略する。
【００２８】
現像器７２Ｙは、本体となるケース部材７６を有しており、ケース部材７６内にトナーカートリッジ７８Ｙ（図１参照）からトナー供給路（図示省略）を経由して供給されるトナー及びキャリアから成る現像剤（図示省略）が充填されている。また、ケース部材７６には、感光体６２の外周面と対向して矩形状の開口部７６Ａが形成されており、開口部７６Ａには、外周面が感光体６２の外周面と対向する現像ロール７４が設けられている。さらに、ケース部材７６内で開口部７６Ａに近い部位には、現像剤の層厚を規制するための板状の規制部材７９が、開口部７６Ａの長手方向に沿って設けられている。
【００２９】
現像ロール７４は、回転可能に設けられた円筒状の現像スリーブ７４Ａと、現像スリーブ７４Ａの内側に固定された複数の磁極から成る磁性部材７４Ｂとで構成されており、現像スリーブ７４Ａが回転することで現像剤（キャリア）の磁気ブラシが形成されると共に、規制部材７９で層厚が規制されることで、現像スリーブ７４Ａの外周面に現像剤層を形成するようになっている。そして、現像スリーブ７４Ａの外周面の現像剤層は、感光体６２に対向する位置に搬送され、感光体６２の外周面に形成された潜像（静電潜像）に応じたトナーを付着させて現像を行う。
【００３０】
また、ケース部材７６内には、螺旋状に形成された搬送ローラ７７が２本回転可能に並列配置されており、この２本の搬送ローラ７７が回転することで、ケース部材７６内に充填された現像剤が、現像ロール７４の軸方向（現像器７２Ｙの長手方向）に循環搬送されるようになっている。なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が感光体６２の外周面と対向するようになっている。
【００３１】
一方、感光体６２の回転方向で現像装置７０よりも下流側であり且つ感光体６２の下側には、感光体６２の外周面に形成されたトナー画像が転写される記録媒体の一例としての中間転写ベルト６８が設けられている。
【００３２】
中間転写ベルト６８は、無端状であり、制御部２０により回転駆動される駆動ロール６１、中間転写ベルト６８に張力を付与するための張力付与ロール６３、中間転写ベルト６８の裏面に接触して従動回転する複数の搬送ロール６５、及び後述する二次転写位置において中間転写ベルト６８の裏面に接触して従動回転する補助ロール６９に巻き掛けられている。そして、中間転写ベルト６８は、駆動ロール６１が回転することにより、矢印−Ｒ方向（図示の反時計回り方向）に周回移動するようになっている。
【００３３】
また、中間転写ベルト６８を挟んで感光体６２の反対側には、感光体６２の外周面に形成されたトナー画像を中間転写ベルト６８に一次転写させる転写手段の一例としての一次転写ロール６７が設けられている。一次転写ロール６７は、感光体６２と中間転写ベルト６８とが接触する位置から中間転写ベルト６８の移動方向下流側に離れた位置で、中間転写ベルト６８の裏面に接触している。そして、一次転写ロール６７は、図示しない電源から通電されることにより、接地されている感光体６２との電位差で感光体６２のトナー画像を中間転写ベルト６８に一次転写するようになっている。
【００３４】
さらに、中間転写ベルト６８を挟んで補助ロール６９の反対側には、中間転写ベルト６８上に一次転写されたトナー画像を記録用紙Ｐ（図１参照）に二次転写させる転写手段の一例としての二次転写ロール７１が設けられており、二次転写ロール７１と補助ロール６９との間が記録用紙Ｐへトナー画像を転写する二次転写位置（図２の位置Ｑ）とされている。二次転写ロール７１は、中間転写ベルト６８の表面に接触している。そして、二次転写ロール７１は、図示しない電源から通電されることにより、接地されている補助ロール６９との電位差で中間転写ベルト６８のトナー画像を記録用紙Ｐに二次転写するようになっている。
【００３５】
また、中間転写ベルト６８を挟んで駆動ロール６１の反対側には、中間転写ベルト６８の二次転写後の残留トナーを回収するクリーニング装置８５が設けられている。さらに、中間転写ベルト６８の周囲で張力付与ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。
【００３６】
感光体６２の回転方向で一次転写ロール６７よりも下流側には、中間転写ベルト６８に一次転写されずに感光体６２の表面に残留した残留トナー等を清掃するクリーニング装置７３が設けられている。クリーニング装置７３は、感光体６２表面に接触するクリーニングブレード８７及びブラシロール８９により残留トナー等を回収する構成となっている。また、感光体６２の回転方向でクリーニング装置７３の上流側（一次転写ロール６７よりも下流側）には、転写後コロトロン８６が設けられている。
【００３７】
転写後コロトロン８６は、電圧印加部（図示省略）により電圧が印加されるチャージワイヤ８６Ａと、チャージワイヤ８６Ａを覆うと共に接地されたシールド部材８６Ｂとを含んで構成されている。また、転写後コロトロン８６は、一次転写ロール６７によるトナーの一次転写後において、感光体６２の外周面に残留する逆極性（本実施形態では一例としてプラス極性）の電荷を、帯電ユニット１００により帯電する極性であるマイナス極性に揃える作用を有している。さらに、クリーニング装置７３の下流側で且つ帯電ユニット１００の上流側には、残留トナー等の回収後の除電手段である除電ランプ７５が設けられている。
【００３８】
一方、図１に示すように、二次転写ロール７１によるトナー画像の二次転写位置は、搬送路２８の途中に設定されており、搬送路２８における記録用紙Ｐの搬送方向（矢印Ａで図示）で二次転写ロール７１よりも下流側には、二次転写ロール７１によってトナー画像が転写された記録用紙Ｐにトナー画像を定着させる定着装置８０が設けられている。
【００３９】
定着装置８０は、記録用紙Ｐのトナー画像面側（上側）に配置され、通電により発熱する熱源を有する加熱ロール８２と、加熱ロール８２の下側に配置され記録用紙Ｐを加熱ロール８２の外周面に向けて加圧する加圧ロール８４とを含んで構成されている。なお、搬送路２８における記録用紙Ｐの搬送方向で定着装置８０よりも下流側には、排紙部１５又は反転部３３へ向けて記録用紙Ｐを搬送する搬送ロール３９が設けられている。
【００４０】
原稿読取装置５６の下側で現像装置７０よりも上側には、イエロー（Ｙ）、マゼンタ（Ｍ）、シアン（Ｃ）、黒（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが矢印Ｈ方向に並んで交換可能に設けられている。第１特別色Ｅ及び第２特別色Ｆは、イエロー、マゼンタ、シアン、ブラック以外の特別色（透明を含む）から選択され、または、選択されないようになっている。
【００４１】
現像装置７０では、第１特別色Ｅ及び第２特別色Ｆが選択された場合は、Ｙ、Ｍ、Ｃ、Ｋ、Ｅ、Ｆの６色での画像形成を行い、第１特別色Ｅ及び第２特別色Ｆが選択されない場合は、Ｙ、Ｍ、Ｃ、Ｋの４色での画像形成を行うようになっている。なお、本実施形態では、一例として、Ｙ、Ｍ、Ｃ、Ｋの４色で画像形成を行い、第１特別色Ｅ及び第２特別色Ｆを未使用とした場合について説明するが、他の例として、Ｙ、Ｍ、Ｃ、Ｋの４色と第１特別色Ｅ又は第２特別色Ｆを用いて５色で画像形成を行ってもよい。
【００４２】
次に、画像形成装置１０における画像形成工程について説明する。
【００４３】
図１に示すように、画像形成装置１０が作動すると、画像処理装置（図示省略）又は外部から、イエロー（Ｙ）、マゼンタ（Ｍ）、シアン（Ｃ）、黒（Ｋ）、第１特別色（Ｅ）、第２特別色（Ｆ）の各色の画像データが露光装置６６に順次出力される。このとき、一例として、現像装置７０は、現像器７２Ｙ（図２参照）が感光体６２の外周面と対向するように回転し保持されている。
【００４４】
続いて、図２に示すように、帯電ユニット１００により感光体６２の外周面（表面）が帯電される。そして、露光装置６６から画像データに応じて出射された光は、帯電ユニット１００により帯電された感光体６２の表面を露光し、感光体６２の表面にはイエローの画像データに対応した静電潜像が形成される。さらに、感光体６２の表面に形成された静電潜像は、現像器７２Ｙによってイエローのトナー画像として現像される。そして、感光体６２の表面のイエローのトナー画像は、一次転写ロール６７によって中間転写ベルト６８に転写される。
【００４５】
続いて、現像装置７０が矢印＋Ｒ方向に６０°回転され、現像器７２Ｍが感光体６２の表面と対向する。そして、帯電、露光、現像の各工程が行われ、感光体６２の表面のマゼンタのトナー画像は、一次転写ロール６７によって中間転写ベルト６８のイエローのトナー画像上に転写される。同様にして、シアン（Ｃ）、黒（Ｋ）、さらに色設定に応じて第１特別色（Ｅ）、及び第２特別色（Ｆ）のトナー画像が中間転写ベルト６８上に順次多重転写される。
【００４６】
一方、図１に示すように、用紙収容部１２から送り出され、搬送路２８を搬送されてきた記録用紙Ｐは、位置合せロール３８により、中間転写ベルト６８への各トナー画像の多重転写とタイミングを合わせて二次転写位置（図２の位置Ｑ）に搬送される。そして、中間転写ベルト６８上に多重転写されたトナー画像は、二次転写位置に搬送されてきた記録用紙Ｐ上に二次転写ロール７１によって二次転写される。
【００４７】
続いて、トナー画像が転写された記録用紙Ｐは、定着装置８０に向けて矢印Ａ方向（図示の右方向）に搬送される。そして、定着装置８０では、トナー画像が、加熱ロール８２及び加圧ロール８４によって加熱、加圧されることで記録用紙Ｐに定着される。さらに、トナー画像が定着された記録用紙Ｐは、一例として、排紙部１５に排出される。
【００４８】
なお、記録用紙Ｐの両面に画像を形成する場合は、定着装置８０で表面に画像定着を行った後、記録用紙Ｐを矢印−Ｖ方向に沿って反転部３３に送り込むと共に矢印＋Ｖ方向に沿って送り出すことで、記録用紙Ｐの先端と後端を入れ替える。そして、記録用紙Ｐを両面搬送路２９によって矢印Ｂ方向（図示の左方向）に搬送し、さらに搬送路２８に送り込んで、記録用紙Ｐの裏面の画像形成及び定着を行う。
【００４９】
次に、帯電ユニット１００について説明する。
【００５０】
図３に示すように、帯電ユニット１００は、Ｈ−Ｖ面（断面）がコ字状のシールド部材１０５を有している。シールド部材１０５の内側は、矢印Ｄ方向を長手方向として直立配置された仕切板１０３によって小室１０６Ａと小室１０６Ｂとに仕切られている。なお、矢印＋Ｒ方向において、小室１０６Ａは上流側に配置されており、小室１０６Ｂは下流側に配置されている。また、シールド部材１０５の開口部１０５Ａは、感光体６２の外周面と対向配置されている。
【００５１】
小室１０６Ａ内には、矢印Ｄ方向を長軸方向として帯電手段の一例としてのチャージワイヤ１０２Ａが架設されおり、同様に、小室１０６Ｂ内には、矢印Ｄ方向を長軸方向として帯電手段の一例としてのチャージワイヤ１０２Ｂが架設されている。また、シールド部材１０５は、開口部１０５Ａを覆うように電極部材の一例としてのグリッド電極１０４が取付けられている。グリッド電極１０４は、Ｈ−Ｖ面（矢印Ｄ方向）で見て、チャージワイヤ１０２Ａ、１０２Ｂと感光体６２の外周面との間に配置されており、図示しない給電手段から電圧が印加されるようになっている。
【００５２】
さらに、帯電ユニット１００において、矢印Ｈ方向で対向配置されたシールド部材１０５の１組の側壁１０５Ｂ、１０５Ｃの外面には、矢印Ｖ方向に直立するカバー部材１０７、１０８が取付けられている。カバー部材１０７の上端は外側（図示の左側）へ向けて断面Ｌ字状に折り曲げられ、平板状の被案内部１０７Ａが形成されている。また、カバー部材１０８の上端は外側（図示の右側）へ向けて断面Ｌ字状に折り曲げられ、平板状の被案内部１０８Ａが形成されている。そして、被案内部１０７Ａ、１０８Ａが、装着部１１０に設けられたガイドレール１０９、１１１により矢印Ｄ方向に案内されると共に矢印Ｈ、Ｖ方向に対して保持される（移動が規制される）ことで、帯電ユニット１００が、感光体６２の外周面と対向して配置されるようになっている。
【００５３】
図４（Ａ）、（Ｂ）に示すように、帯電ユニット１００は、矢印Ｄ方向におけるシールド部材１０５の両端部に湾曲部材の一例としての取付部材１１２、１１４が取付けられている。取付部材１１２、１１４は、グリッド電極１０４を取付ける（保持する）ための部材であり、取付部材１１２が矢印Ｄ方向の手前側（図示の左側）に配置され、取付部材１１４が矢印Ｄ方向の奥側（図示の右側）に配置されている。図４（Ａ）、（Ｂ）では、カバー部材１０７、１０８（図３参照）の図示を省略している。なお、以後の説明及び図示では、グリッド電極１０４の長手方向を矢印Ｄ方向、短手方向を矢印Ｓ方向、厚み方向を矢印Ｔ方向とする。矢印Ｄ、Ｓ、Ｔ方向は、グリッド電極１０４の矢印Ｓ方向の中央部でそれぞれ直交している。ここで、矢印Ｔ方向は厚み方向であるが、湾曲したグリッド電極１０４の各部で厚み方向が異なるため、以後の説明では、矢印Ｔ方向を矢印Ｄ、Ｓ方向と直交する方向に統一して図示及び説明する。
【００５４】
グリッド電極１０４は、無負荷状態で感光体６２（図３参照）の軸方向（矢印Ｄ方向）を長手方向とする板状（平面視で矩形状、側面視で板状）に形成されており、図４（Ａ）に示すように、負荷が作用することにより弾性変形して湾曲するようになっている。なお、板状に形成された部材とは、平板状に形成された部材だけでなく、矢印Ｄ方向に見て軽く湾曲した状態に形成された部材を含む表現である。また、グリッド電極１０４は、矢印Ｄ方向の手前側から奥側へ向けて、長さＬ１の取付部１０４Ａ、長さＬ２の電極部１０４Ｂ、及び長さＬ３の取付部１０４Ｃが一体となった構成となっている。
【００５５】
取付部１０４Ａは、矢印Ｔ方向に貫通した貫通孔である取付孔１１６Ａ、１１６Ｂが形成されている。取付孔１１６Ａ、１１６Ｂは、グリッド電極１０４の矢印Ｄ方向の一端において矢印Ｓ方向に間隔をあけてそれぞれ矩形状に形成されている。また、電極部１０４Ｂは、矢印Ｄ方向を長手方向として矩形状に貫通したスリット１０４Ｄが、矢印Ｓ方向に複数並んで形成されている。さらに、取付部１０４Ｃは、矢印Ｔ方向に貫通した貫通孔である取付孔１１６Ｃ、１１６Ｄが形成されている。取付孔１１６Ｃ、１１６Ｄは、グリッド電極１０４の他端に矢印Ｓ方向に間隔をあけてそれぞれ矩形状に形成されている。
【００５６】
取付部１０４Ａにおける矢印Ｓ方向の中央で且つ取付孔１１６Ａ、１１６Ｂの間には、矢印Ｄ方向に長い貫通孔である長孔１１８が形成されている。そして、取付部１０４Ｃにおける矢印Ｓ方向の中央で且つ取付孔１１６Ｃ、１１６Ｄの間には、矢印Ｄ方向に長い貫通孔である長孔１２２が形成されている。また、取付部材１１２の後述する湾曲面１１２Ｄ（図５（Ｂ）参照）からは、長孔１１８に挿入される凸部１２４が突出しており、取付部材１１４の後述する湾曲面１１４Ｄ（図５（Ｂ）参照）には、長孔１２２に挿入される凸部１２６が突出している。ここで、長孔１１８、１２２に凸部１２４、１２６を挿入することで、グリッド電極１０４の適正位置に対する矢印Ｓ方向のずれが規制されると共に、矢印Ｄ方向のずれが設定範囲内となっている。
【００５７】
一方、取付部材１１２における矢印Ｄ方向の一端に直立した側壁１１２Ａの内側には、矢印Ｓ方向に間隔をあけて、張力付与手段の一例としての引張ばね１２８Ａ、１２８Ｂの一端が取付けられている。そして、引張ばね１２８Ａの他端は、取付孔１１６Ａの縁に引っ掛けられており、引張ばね１２８Ｂの他端は、取付孔１１６Ｂの縁に引っ掛けられている。
【００５８】
同様に、取付部材１１４における矢印Ｄ方向の他端に直立した側壁１１４Ａの内側には、矢印Ｓ方向に間隔をあけて引張ばね１２８Ｃ、１２８Ｄの他端が取付けられている。そして、引張ばね１２８Ｃの一端は、取付孔１１６Ｃに挿入されると共に取付孔１１６Ｃの縁に引っ掛けられており、引張ばね１２８Ｄの他端は、取付孔１１６Ｄに挿入されると共に取付孔１１６Ｄの縁に引っ掛けられている。この４つの引張ばね１２８Ａ、１２８Ｂ、１２８Ｃ、１２８Ｄによって張力が付与されることで、グリッド電極１０４は矢印Ｄ方向に沿って張架されている。
【００５９】
図４（Ｂ）に示すように、取付部材１１２は、側壁１１２Ａの上端から矢印Ｄ方向の奥側に張り出した上壁１１２Ｂと、上壁１１２Ｂの側壁１１２Ａとは反対側の下面から矢印Ｔ方向の下方側へ突出した支持部１１２Ｃとが一体で形成されている。同様に、取付部材１１４は、側壁１１４Ａの上端から矢印Ｄ方向の手前側に張り出した上壁１１４Ｂと、上壁１１４Ｂの側壁１１４Ａとは反対側の下面から矢印Ｔ方向の下方側へ突出した支持部１１４Ｃとが一体で形成されている。
【００６０】
図５（Ｂ）に示すように、取付部材１１２の支持部１１２Ｃは、グリッド電極１０４とチャージワイヤ１０２Ａ、１０２Ｂとの間に配置され且つ感光体６２の外周面に沿った湾曲面１１２Ｄを有している。同様に、取付部材１１４の支持部１１４Ｃは、グリッド電極１０４とチャージワイヤ１０２Ａ、１０２Ｂとの間に配置され且つ感光体６２の外周面に沿った湾曲面１１４Ｄを有している。なお、一例として、取付部材１１２と取付部材１１４は同様の構成であり、帯電ユニット１００は、矢印Ｄ方向の中央を境として各部材が対称配置となっているため、以後の説明では、帯電ユニット１００の一端側の構成（取付部材１１２）について説明し、他端側（取付部材１１４）の説明を省略する。
【００６１】
支持部１１２Ｃ（湾曲面１１２Ｄ）は、矢印Ｓ方向に間隔をあけてグリッド電極１０４側に開口された凹部１１２Ｅ、１１２Ｆが形成されている。凹部１１２Ｅ、１１２Ｆは、引張ばね１２８Ａ、１２８Ｂの湾曲した端部の退避部となっており、この引張ばね１２８Ａ、１２８Ｂの端部によって湾曲面１１２Ｄとグリッド電極１０４との間に隙間が形成されるのを抑制している。そして、矢印Ｓ方向における凹部１１２Ｅ、１１２Ｆの間には、前述の凸部１２４が形成されている。
【００６２】
また、支持部１１２Ｃの矢印Ｓ方向の両端となる側面１１２Ｇ、１１２Ｈには、それぞれ外側へ突出した凸部である引掛部１１２Ｊ、１１２Ｋが形成されている。さらに、支持部１１２ＣのＳ−Ｔ断面中央部には、矢印Ｄ方向に貫通しチャージワイヤ１０２Ａ、１０２Ｂが挿入される貫通孔１１３Ａ、１１３Ｂが形成されている。そして、支持部１１２Ｃには、付勢部材の一例としての板ばね１３２が取付けられている。
【００６３】
板ばね１３２は、矢印Ｓ方向を長手方向として矢印Ｔ方向（湾曲面１１２Ｄ側）に凸状に湾曲した湾曲部１３２Ａと、湾曲部１３２Ａの矢印Ｓ方向の両端部から矢印Ｔ方向にそれぞれ直立した２つの取付部１３２Ｂとが一体成形されたものである。また、それぞれの取付部１３２Ｂには、縁が引掛部１１２Ｊ、１１２Ｋと係合する貫通孔である係合孔１３２Ｃが形成されている。また、湾曲部１３２Ａの凸側の表面が、グリッド電極１０４と接触する接触面１３２Ｄとなっている。
【００６４】
ここで、板ばね１３２は、帯電ユニット１００を矢印Ｄ方向に見て、グリッド電極１０４と感光体６２との間に配置されており、２箇所の係合孔１３２Ｃの縁が引掛部１１２Ｊ、１１２Ｋと係合することにより湾曲部１３２Ａでグリッド電極１０４を押圧し、グリッド電極１０４を取付部材１１２の湾曲面１１２Ｄに向けて付勢している。そして、グリッド電極１０４は、引張ばね１２８Ａ、１２８Ｂ及び引張ばね１２８Ｃ、１２８Ｄ（図４（Ａ）参照）により矢印Ｄ方向外側へ向けて張力を付与されると共に板ばね１３２で付勢され、感光体６２の外周面に沿った湾曲状態で保持されている。
【００６５】
なお、取付部材１１２、１１４は、それぞれ感光体６２に向けて突出した突当部（図示省略）が形成されており、この突出部が、感光体６２の矢印Ｄ方向の両端部に設けられるホルダー（図示省略）の上端に接触することで、感光体６２とグリッド電極１０４とが接触するのを抑制している。
【００６６】
また、取付部材１１２及び板ばね１３２のＳ−Ｔ断面において、取付部材１１２の湾曲面１１２Ｄは、感光体６２の外周面に沿った形状となっている。そして板ばね１３２の接触面１３２Ｄの曲率半径は、湾曲面１１２Ｄの曲率半径よりも小さくなっている。これにより、板ばね１３２は、グリッド電極１０４の矢印Ｓ方向における中央部Ｍ（図５（Ｂ）では、凸部１２４の中央の黒丸で表示）を最も強く付勢している。
【００６７】
次に、グリッド電極１０４に付与される張力について説明する。
【００６８】
図６（Ａ）に示すように、グリッド電極１０４の一端（取付部材１１２側）には、引張ばね１２８Ａ、１２８Ｂにより張力Ｆが付与されている。なお、取付部材１１４側については同様の構成であるため、説明を省略する。
【００６９】
図６（Ａ）において、取付孔１１６Ａの縁部で引張ばね１２８Ａによる張力が付与されている箇所を点Ｐ１とし、Ｓ−Ｄ面内で点Ｐ１を通って矢印Ｄと平行な線分をＬＡとする。また、取付孔１１６Ｂの縁部で引張ばね１２８Ｂによる張力が付与されている箇所を点Ｐ２とし、Ｓ−Ｄ面内で点Ｐ２を通って矢印Ｄと平行な線分をＬＢとする。ここで、引張ばね１２８Ａ、１２８Ｂにより点Ｐ１、Ｐ２に作用する張力Ｆの方向は、Ｓ−Ｄ面において、線分ＬＡ、ＬＢに対してそれぞれ角度θ１で外側に広がる方向となっている。
【００７０】
また、図５（Ａ）において、引張ばね１２８Ａ、１２８Ｂにより点Ｐ１、Ｐ２に作用する張力Ｆの方向は、Ｄ−Ｔ面において、線分ＬＡ、ＬＢに対してそれぞれ角度θ２で感光体６２の外周面から離れる方向となっている。
【００７１】
図６（Ｂ）には、点Ｐ１（Ｐ２）に作用する張力Ｆ及び張力Ｆの分力が示されている。張力Ｆは、グリッド電極１０４（図６（Ａ）参照）の長手方向である矢印−Ｄ方向（矢印Ｄ方向とは反対方向）の第１分力Ｆｄと、グリッド電極１０４の短手方向である矢印−Ｓ方向（矢印Ｓ方向とは反対方向）の第２分力Ｆｓと、グリッド電極１０４の厚み方向で且つ感光体６２（図５（Ａ）参照）から離れる方向である矢印Ｔ方向の第３分力Ｆｔとに分解される。
【００７２】
ここで、第１分力Ｆｄと第２分力Ｆｓとの合力をＦ１、第１分力Ｆｄと第３分力Ｆｔとの合力をＦ２とすると、第１分力Ｆｄと合力Ｆ１とのなす角度がθ１であり、第１分力Ｆｄと合力Ｆ２とのなす角度がθ２である。また、角度θ１、θ２は、０＜θ１＜９０°、０＜θ２＜９０°の範囲内で設定される。
【００７３】
次に、比較例について説明する。
【００７４】
図８（Ａ）には、比較例としてのグリッド電極２０２が示されている。グリッド電極２０２は、取付部２０２Ａ（他端側も同様）と電極部２０２Ｂとを有している。取付部２０２Ａは、矢印Ｄ方向における外向きに突出した被取付部２０４が形成されており、電極部２０２Ｂは、矢印Ｄ方向を長手方向として矩形状に貫通したスリット２０６が矢印Ｓ方向に複数並んで形成されている。そして、被取付部２０４は、平面視（Ｄ−Ｓ面）でハ字状に形成された２つの支持部２０４Ａと、平面視でコ字状であり２つの支持部２０４Ａの一端に一体で形成された引掛部２０４Ｂとで構成されている。
【００７５】
ここで、比較例のグリッド電極２０２は、被取付部２０４が図示しない引掛部に引っ掛けられ矢印Ｄ方向に張架されると、ハ字状の支持部２０４Ａの２箇所の他端が引っ張られることにより、矢印Ｄ方向からそれぞれ矢印Ｓ方向に内向きとなる張力ＦＡが作用する。これにより、取付部２０２Ａの矢印Ｓ方向の両端部には、矢印Ｓ方向の中央に向けてグリッド電極２０２を湾曲させる張力ＦＢが作用する。
【００７６】
一方、グリッド電極２０２の電極部２０２Ｂにおける中央部では、取付部２０２Ａが矢印Ｓ方向の内側に歪んだことにより、矢印Ｓ方向の外向きの力ＦＣが作用して外側へ歪む。このように、比較例のグリッド電極２０２は、矢印Ｄ方向における端部と中央部において、矢印Ｓ方向に作用する力の方向が逆となるので、矢印Ｄ方向の各部における湾曲状態が異なってしまう。
【００７７】
このため、図８（Ｂ）に示すように、感光体６２とグリッド電極２０２が対向する範囲において、感光体６２の回転方向（＋Ｒ方向）でグリッド電極２０２と感光体６２の外周面との間隔を上流端ｄａ、中央ｄｂ、下流端ｄｃとすると、ｄａ＜ｄｂ、ｄｃ＜ｄｂとなり、ばらつきが生じることになる。
【００７８】
次に、本実施形態の作用について説明する。
【００７９】
図４（Ａ）に示すように、グリッド電極１０４の取付けでは、まず、長孔１１８に取付部材１１２の凸部１２４を挿入し、長孔１２２に取付部材１１４の凸部１２６を挿入して、矢印Ｓ方向のずれを規制する。続いて、取付部材１１２、１１４内に一端が取付けられた引張ばね１２８Ａ、１２８Ｂ、１２８Ｃ、１２８Ｄの他端を、取付孔１１６Ａ、１１６Ｂ、１１６Ｃ、１１６Ｄの縁部に引っ掛ける。なお、この時点では、板ばね１３２は取付けられていない。また、以後の説明では、同様の構成のため、取付部材１１４側の説明を省略する。
【００８０】
続いて、図７（Ａ）に示すように、両端部が矢印Ｄ方向に張架されたグリッド電極１０４は、取付孔１１６Ａ、１１６Ｂの縁部に対して、矢印Ｄ方向からそれぞれ矢印Ｓ方向に外向きとなる張力Ｆが作用する。
【００８１】
ここで、図６（Ｂ）及び図７（Ｂ）において、張力Ｆの第１分力Ｆｄにより、グリッド電極１０４は矢印Ｄ方向に張架される。また、張力Ｆの第２分力Ｆｓにより、グリッド電極１０４の一部は湾曲面１１２Ｄに押し付けられる。そして、第２分力Ｆｓが湾曲面１１２Ｄからの反力と釣り合うため、グリッド電極１０４の矢印Ｄ方向の中央部における矢印Ｓ方向の歪みの発生が抑制される。これにより、グリッド電極１０４では、矢印Ｄ方向の各部において、矢印Ｓ方向の歪みによる変形が抑制されている。
【００８２】
さらに、本実施形態では、図７（Ｂ）に示すように、グリッド電極１０４に第３分力Ｆｔが作用しているため、グリッド電極１０４が湾曲面１１２Ｄに向けて押し付けられ、湾曲面１１２Ｄに倣って湾曲する。即ち、感光体６２の外周面に沿った形状となるように湾曲する。これにより、矢印Ｄ方向における感光体６２とグリッド電極２０２が対向する範囲において、感光体６２の回転方向（＋Ｒ方向）のグリッド電極２０２と感光体６２の外周面との間隔を、上流端ｄａ、中央ｄｂ、下流端ｄｃとすると、ほぼｄａ＝ｄｂ＝ｄｃとなり、間隔のばらつきが抑制される。そして、図１において、画像形成装置１０で画像形成を行ったときの帯電ユニット１００による帯電のばらつきが抑制される。
【００８３】
続いて、図５（Ｂ）に示すように、板ばね１３２の２箇所の係合孔１３２Ｃの縁部を引掛部１１２Ｊ、１１２Ｋに係合させて、板ばね１３２を取付部材１１２に取付ける。そして、既に湾曲しているグリッド電極１０４は、取付部材１１２と板ばね１３２とで挟まれた状態で保持される。このようにして完成した帯電ユニット１００では、チャージワイヤ１０２Ａ、１０２Ｂに通電すると、接地された感光体６２との間に電位差が生じる。これにより、コロナ放電が生じて感光体６２が帯電される。また、グリッド電極１０４にバイアス電圧が印加されることで、感光体６２の帯電電位（放電電流）が許容範囲内となるように制御される。
【００８４】
ここで、帯電ユニット１００による感光体６２の帯電時において、グリッド電極１０４が感光体６２の外周面に近づくと、グリッド電極１０４が振動する現象が起こる場合がある。しかし、本実施形態では、板ばね１３２によってグリッド電極１０４の感光体６２への移動が規制されているため、即ち、板ばね１３２が規制部材となるため、帯電時にグリッド電極１０４が感光体６２の外周面に近づくことが抑制され、感光体６２の帯電むらが抑制される。このため、形成された画像の濃度むらが抑制される。
【００８５】
さらに、本実施形態では、板ばね１３２の接触面１３２Ｄの曲率半径が、湾曲面１１２Ｄの曲率半径よりも小さいことから、グリッド電極１０４の矢印Ｓ方向における中央部Ｍ（長孔１１８（図５（Ｂ）参照）の縁部）が最も強い付勢力で付勢される。これにより、接触面１３２Ｄの曲率半径を湾曲面１１２Ｄの曲率半径よりも大きい曲率半径とした場合に比べて、グリッド電極１０４の最も大きく湾曲すべき部位である中央部Ｍに付勢力が付与されるので、グリッド電極１０４が湾曲面１１２Ｄに沿った形状となる。
【００８６】
加えて、本実施形態では、引張ばね１２８Ａ、１２８Ｂ、１２８Ｃ、１２８Ｄを交換することで張力が変更されるため、グリッド電極１０４よりも板厚が厚く剛性が高いグリッド電極であっても、感光体６２の外周面とグリッド電極との間隔のばらつきが抑制（低減）される。
【００８７】
なお、本発明は上記の実施形態に限定されない。
【００８８】
張力付与手段は、引張ばね１２８Ａ、１２８Ｂ、１２８Ｃ、１２８Ｄを取付孔１１６Ａ、１１６Ｂ、１１６Ｃ、１１６Ｄの縁部に引っ掛けて張力を付与する構成の他に、グリッド電極１０４の取付部１０４Ａ、１０４Ｃを直接掴んで張力を付与する構成であってもよい。
【００８９】
グリッド電極１０４は、スリットタイプのものに限らず、複数の多角形状の孔の集合体であるメッシュ状のものであってもよい。また、湾曲面１１２Ｄへのグリッド電極１０４の付勢は、板ばねに限らず、支持部材で支持されたコイルばねや、カムで付勢するようにしてもよい。
【００９０】
なお、本実施形態において、グリッド電極１０４が感光体６２の外周面に沿って配置される状態とは、感光体６２の外周面と一定の間隔となる状態だけでなく、湾曲したグリッド電極１０４が、感光体６２の回転方向の上流側又は下流側に中心位置をずらして配置された状態を含んでいる。一例として、グリッド電極１０４と感光体６２との間隔が、感光体６２の回転方向の上流側に比べて下流側が広くなっているものも含んでいる。
【符号の説明】
【００９１】
１０  画像形成装置
６２  感光体（潜像保持体の一例）
６７  一次転写ロール（転写手段の一例）
６８  中間転写ベルト（記録媒体の一例）
７０  現像装置（現像手段の一例）
７１  二次転写ロール（転写手段の一例）
１００  帯電ユニット（帯電装置の一例）
１０２Ａ  チャージワイヤ（帯電手段の一例）
１０２Ｂ  チャージワイヤ（帯電手段の一例）
１０４  グリッド電極（電極部材の一例）
１１２  取付部材（湾曲部材の一例）
１１２Ｄ  湾曲面
１１４  取付部材（湾曲部材の一例）
１１４Ｄ  湾曲面
１２８Ａ  引張ばね（張力付与手段の一例）
１２８Ｂ  引張ばね（張力付与手段の一例）
１２８Ｃ  引張ばね（張力付与手段の一例）
１２８Ｄ  引張ばね（張力付与手段の一例）
１３２  板ばね（付勢部材の一例）
１３２Ｄ  接触面
Ｆｄ  第１分力
Ｆｓ  第２分力
Ｆｔ  第３分力
【図１】
2012185309.tif 000003
【図２】
2012185309.tif 000004
【図３】
2012185309.tif 000005
【図５】
2012185309.tif 000006
【図４】
2012185309.tif 000007
【図６】
2012185309.tif 000008
【図７】
2012185309.tif 000009
【図８】
2012185309.tif 000010